(57)【要約】【課題】無線ネットワークのアクセスポイント機能部とステーション機能部とを同じ筐体内に備える場合に、それぞれの機能部に誤って接続されることを防止する。【解決手段】無線ネットワークのアクセスポイント機能部１０２、１０３と、ステーション機能部１０７とを同じ筐体内１０１に有する無線ネットワークシステムにおいて、ステーション機能部１０７がアクセスポイント１１０への接続を行う際に、無線ネットワークシステムのネットワーク識別情報を検索し、検索したネットワーク識別情報のうち、同じ筐体内のアクセスポイント機能部１０１、１０３が使用しているネットワーク識別情報以外のネットワーク識別情報を使用しているアクセスポイント１１０へ接続する。【選択図】      図１
2004312181.tif 000002
【特許請求の範囲】
【請求項１】
無線ネットワークのアクセスポイント機能部とステーション機能部とを同じ筐体内に有し、前記ステーション機能部がアクセスポイントへの接続を行う無線ネットワークシステムの接続方法であって、
無線ネットワークシステムのネットワーク識別情報を検索する工程と、
検索したネットワーク識別情報のうち同じ筐体内のアクセスポイント機能部が使用しているネットワーク識別情報以外のネットワーク識別情報を使用しているアクセスポイントへ接続する工程とを有することを特徴とする無線ネットワークシステムの接続方法。
【請求項２】
無線ネットワークのアクセスポイント機能部とステーション機能部とを同じ筐体内に有し、前記アクセスポイント機能部がステーションとの接続を行う無線ネットワークシステムの接続方法であって、
ステーション機能部がアクセスポイントへの接続を確立すると、アクセスポイント機能部は、前記ステーション機能部が使用している無線チャネル及びネットワーク識別情報と異なる無線チャネル及びネットワーク識別情報を使用することを特徴とする無線ネットワークシステムの接続方法。
【請求項３】
無線ネットワークのアクセスポイント機能部とステーション機能部とを同じ筐体内に有し、前記アクセスポイント機能部がステーションとの接続を行う無線ネットワークシステムの接続方法であって、
前記アクセスポイント機能部に接続を要求してきたステーションのアドレスが、前記ステーション機能部のアドレスと同じ場合は、前記接続要求に対する接続を拒否することを特徴とする無線ネットワークシステムの接続方法。
【発明の詳細な説明】
【０００１】
【発明の属する技術分野】
本発明は、無線ネットワークのアクセスポイント機能部とステーション機能部とを同じ筐体内に有する無線ネットワークシステムの接続技術に関する。
【０００２】
【従来の技術】
従来、ローカルエリアネットワーク（ＬＡＮ）の一部或いは全部を無線化した無線ＬＡＮシステムにおけるアクセスポイント（ＡＰ）は、使用するチャネルやネットワーク識別ＩＤであるＥＳＳ（Ｅｘｔｅｎｄｅｄ  Ｓｅｒｖｉｃｅ  Ｓｅｔ）ＩＤを手動で設定し、運用していた。
【０００３】
図９〜図１１を用いて一般的な無線ＬＡＮシステムにおけるアクセスポイント及びノート型パソコン（ＰＣ）などに搭載されるステーション（ＳＴＡ）の設定及び動作について説明する。
【０００４】
図９は、一般的な無線ＬＡＮシステムの構成を示す図である。図９において、ＰＣ９０１にはステーション９０２が搭載されている。また、アクセスポイント９０３−１乃至アクセスポイント９０３−ｍは基幹ＬＡＮ９０５にそれぞれ接続されており、その基幹ＬＡＮ９０５にはＰＣ９０４も接続されている。
【０００５】
尚、複数のアクセスポイント９０３−１〜９０３−ｍの構成は同様であるため、以下では任意のアクセスポイントについては「９０３」とする。
【０００６】
図１０は、一般的なアクセスポイントの設定及び動作を示すフローチャートである。尚、このフローチャートで示される処理は、アクセスポイント９０３内のＣＰＵによって行われる。
【０００７】
まず、ステップＳ１００１において、アクセスポイントを動作させるために、使用するチャネルを設定する。次に、ステップＳ１００２において、ＥＳＳＩＤを設定する。そして、ステップＳ１００３において、アクセスを許可するステーション（図９に示す例ではステーション９０２）のＭＡＣアドレスを設定する。これらの設定は、基幹ＬＡＮ９０５に接続されているＰＣ９０４において、専用のアプリケーションを用いて行われる処理である。
【０００８】
尚、ＭＡＣアドレスの設定は、必要が無ければ行わなくて良く、行わない場合は、接続台数制限などの条件に合わない場合を除き、アクセスポイント９０３にリンク確立要求を行ったステーションに対してリンク確立応答が送信される。
【０００９】
そして、ステップＳ１００４において、アクセスポイント９０３が起動されると、ステップＳ１００５において、ステーション９０２からのリンク確立要求を待つ。その後、ステーション９０２からのリンク確立要求を受信するとステップＳ１００６へ進み、そのリンク確立要求に含まれるステーション９０２のＭＡＣアドレスを、ステップＳ１００３で設定したアクセス許可ＭＡＣアドレスと比較する。その結果、アクセスを許可したステーションであればステップＳ１００７へ進み、リンク確立応答をそのステーションに送信する。また、アクセスを許可していないステーションであればステップＳ１００８へ進み、リンク確立拒否をそのステーションに送信する。
【００１０】
図１１は、一般的なステーション９０２の動作を示すフローチャートである。また、このフローチャートで示される処理は、ステーション９０２内のＣＰＵによって行われる。
【００１１】
ステーション９０２が起動されると、ステップＳ１１０１において、まず受信可能な無線ＬＡＮシステムで使用されているＥＳＳＩＤをサーチし、ステップＳ１１０２において、そのＥＳＳＩＤを表示する。そして、ステップＳ１１０３において、ユーザが接続したいＥＳＳＩＤを選択するのを待ち、ＥＳＳＩＤが選択されるとステップＳ１１０４へ進み、その選択されたＥＳＳＩＤを使用しているアクセスポイントに対してリンク確立要求を送信する。
【００１２】
次に、ステップＳ１１０５において、アクセスポイントからリンク確立応答を受信するとステップＳ１１０８へ進み、リンクを確立する。またリンク確立拒否を受信するとステップＳ１１０６へ進み、リンク確立が失敗したことを表示する。そして、ステップＳ１１０７において、サーチした全てのＥＳＳＩＤでリンク確立が失敗したか判断し、まだリンク確立要求をしていないアクセスポイントがあるならばステップＳ１１０２に戻り、ユーザが他のＥＳＳＩＤを選択する処理を繰り返す。また、全てのＥＳＳＩＤでリンク確立が失敗したならば、この処理を終了する。
【００１３】
このように、一般的な無線ＬＡＮシステムにおいては、無線ＬＡＮで使用する無線チャネルやＥＳＳＩＤなどは手動によって設定されていた。
【００１４】
【発明が解決しようとする課題】
しかしながら、上記従来例では、無線ＬＡＮシステムにおけるステーションとして機能するステーション機能部と、基幹ＬＡＮと接続するアクセスポイントとして機能する複数のアクセスポイント機能部とを同じ筐体内に有する無線ＬＡＮシステムを構築しようとすると、ステーション機能部の設定において、同じ筐体内のアクセスポイント機能部にリンク確立してしまうという誤った操作を行ってしまう可能性があった。
【００１５】
本発明は、上記課題を解決するためになされたものであり、無線ネットワークのアクセスポイント機能部とステーション機能部とを同じ筐体内に備える場合に、それぞれの機能部に誤って接続されることを防止することを目的とする。
【００１６】
【課題を解決するための手段】
上記目的を達成するために、本発明は、無線ネットワークのアクセスポイント機能部とステーション機能部とを同じ筐体内に有し、前記ステーション機能部がアクセスポイントへの接続を行う無線ネットワークシステムの接続方法であって、無線ネットワークシステムのネットワーク識別情報を検索する工程と、検索したネットワーク識別情報のうち同じ筐体内のアクセスポイント機能部が使用しているネットワーク識別情報以外のネットワーク識別情報を使用しているアクセスポイントへ接続する工程とを有することを特徴とする。
【００１７】
また、無線ネットワークのアクセスポイント機能部とステーション機能部とを同じ筐体内に有し、前記アクセスポイント機能部がステーションとの接続を行う無線ネットワークシステムの接続方法であって、ステーション機能部がアクセスポイントへの接続を確立した後、アクセスポイント機能部は、前記ステーション機能部が使用している無線チャネル及びネットワーク識別情報と異なる無線チャネル及びネットワーク識別情報を使用することを特徴とする。
【００１８】
【発明の実施の形態】
以下、図面を参照しながら本発明に係る実施の形態を詳細に説明する。
【００１９】
［第１の実施形態］
第１の実施形態は、ＰＣに搭載されるステーションの内部に、ステーションを管理するステーション機能部と、基幹ＬＡＮと接続するアクセスポイントとして機能するアクセスポイント機能部とを有し、ステーション機能部でリンク確立を行う場合に、同じ筐体内のアクセスポイント機能部で使用しているＥＳＳＩＤを表示しないで、ステーション機能部がアクセスポイント機能部にリンク確立することを防止するものである。
【００２０】
図１は、第１の実施形態における無線ＬＡＮシステムの構成を示す図である。第１の実施形態におけるステーション１０１は、１以上のアクセスポイント機能部（図１に示す例では２つのアクセスポイント機能部１０２、１０３）と、１以上のステーション機能部（図１に示す例では１つのステーション機能部１０７）とを有する。これらのアクセスポイント機能部、ステーション機能部はそれぞれ内部にＣＰＵを搭載しており、基本的な無線リンク確立は各ＣＰＵを用いて行うものとする。また、各機能部の動作は、ステーション１０１内のＣＰＵ１０５によって制御され、その制御に必要なプログラムやデータはＲＯＭ１０４、ＲＡＭ１０６に格納されている。更に、ＰＣインタフェース１０８を介してＰＣ１２１（図９に示した９０１に相当）が接続され、ステーション１０１での各種設定はＰＣ１２１のアプリケーションで行う。また、複数のアクセスポイント１１０−１〜１１０−ｍ（図９に示した９０３−１〜９０３−ｍに相当）は、有線の基幹ＬＡＮ１１１（図９に示した９０５に相当）に接続されている。
【００２１】
図２は、第１の実施形態におけるステーション機能部１０７の動作を示すフローチャートである。ここで、アクセスポイント機能部１０２、１０３とアクセスポイント１１０−１〜アクセスポイント１１０−ｍの動作は、従来例で説明したフローチャート（図１０）と同様である。この図２に示す処理は、ステーション１０１において、アクセスポイント機能部１０２、１０３が立ち上がった後に、ＰＣ１２１上のアプリケーションによってステーション機能部１０７を立ち上げた場合、そのリンク先はアクセスポイント１１０−１〜１１０−ｍの何れかとし、アクセスポイント機能部１０２、１０３にリンクすることがないように制御を行うものである。
【００２２】
ステップＳ２０１において、ステーション機能部１０７は、従来例と同様に、まず近くに存在するＥＳＳＩＤを検索し、ステップＳ２０２において、筐体内のアクセスポイント機能部１０２、１０３が使用しているＥＳＳＩＤ以外のＥＳＳＩＤを表示する。ここで、ステーション機能部１０７のＣＰＵが、筐体内のアクセスポイント機能部１０２、１０３が使用しているＥＳＳＩＤを知る方法としては、直接アクセスポイント機能部１０２、１０３のＣＰＵに問い合わせても構わないし、或いはＣＰＵ１０５がＲＡＭ１０６内にＥＳＳＩＤを格納しているならば、ＣＰＵ１０５に問い合わせても構わない。
【００２３】
次に、ステップＳ２０３において、ユーザが接続したいＥＳＳＩＤを選択するのを待ち、ＥＳＳＩＤが選択されるとステップＳ２０４へ進み、そのＥＳＳＩＤを使用しているアクセスポイント（１１０−１〜１１０−ｍの何れか）に対してリンク確立要求を送信する。そして、ステップＳ２０５において、そのアクセスポイントからリンク確立応答を受信するとステップＳ２０８へ進み、リンクを確立する。また、リンク確立拒否を受信するとステップＳ２０６へ進み、リンク確立が失敗したことを表示する。そして、サーチした全てのＥＳＳＩＤでリンク確立が失敗したか判断し、失敗したならば、リンク確立しないで終了する。しかし、リンク確立要求をしていないアクセスポイントがあるならば、ＥＳＳＩＤ表示を行うステップＳ２０２に戻り、上述の処理を繰り返す。
【００２４】
このように、第１の実施形態においては、ステーション機能部１０７でリンク確立を行う場合に、同じ筐体内のアクセスポイント機能部１０２、１０３で使用しているＥＳＳＩＤを表示しないので、ステーション機能部１０７がアクセスポイント機能部１０２、１０３にリンク確立することを防止できる。
【００２５】
また、アクセスポイント機能部１０２、１０３及びステーション機能部１０７の制御をそれぞれ内蔵のＣＰＵで行うとしたが、全体の制御をステーション内部のＣＰＵ１０５で統括して行うようなシステムも容易に実現可能である。
【００２６】
［第２の実施形態］
次に、図面を参照しながら本発明に係る第２の実施形態を詳細に説明する。
【００２７】
第２の実施形態は、ＰＣに接続するステーションに対してはアクセスポイントとして機能し、基幹ＬＡＮと接続するアクセスポイントに対してはステーションとして機能する接続装置において、ステーション機能部がアクセスポイント機能部にリンク確立することを防止するものである。
【００２８】
図３は、第２の実施形態における無線ＬＡＮシステムの構成を示す図である。図３に示す３０２〜３０７、３１０、３１１は、図１に示した１０２〜１０７、１１０、１１１にそれぞれ相当する。ここで、接続装置３０１は、図１に示したステーション１０１とその構成はほぼ同じであるが、ＰＣインタフェース１０８が無くなり、ステーション３２２、アクセスポイント機能部３０２又は３０３を介してＰＣ３２１と接続される。
【００２９】
図４は、第２の実施形態におけるステーション機能部３０７の動作を示すフローチャートである。まずステップＳ４０１において、ステーション機能部３０７が起動されると、受信可能なＥＳＳＩＤを検索し、ステップＳ４０２において、検索されたＥＳＳＩＤを表示する。次に、ステップＳ４０３において、ユーザが接続したいＥＳＳＩＤを選択するのを待ち、ＥＳＳＩＤが選択されるとステップＳ４０４へ進み、そのＥＳＳＩＤが筐体内のアクセスポイント機能部３０２、３０３で使用されているものかどうかをチェックする。ここで、筐体内のアクセスポイント機能部３０２、３０３のＥＳＳＩＤであったならばステップＳ４０５へ進み、そのＥＳＳＩＤは使用できないことを示すエラーメッセージ表示を行う。また、そうでなければステップＳ４０６へ進み、そのＥＳＳＩＤを使用しているアクセスポイントに対してリンク確立要求を送信する。
【００３０】
尚、上述の筐体内のアクセスポイント機能部３０２、３０３で使用されているＥＳＳＩＤを確認する方法としては、ステーション機能部３０７から、アクセスポイント機能部３０２、３０３へ直接問い合わせても構わないし、或いはＣＰＵ３０５に問い合わせるようにしても良い。
【００３１】
その後、ステップＳ４０７において、アクセスポイントからリンク確立応答を受信するとステップＳ４１０へ進み、リンクを確立する。また、リンク確立拒否を受信するとステップＳ４０８へ進み、リンク確立が失敗したことを表示する。そして、サーチした全てのＥＳＳＩＤでリンク確立が失敗したか判断し、失敗したならば、リンク確立しないで終了する。しかし、リンク確立要求をしていないアクセスポイントがあるならば、ＥＳＳＩＤ表示を行うステップＳ４０２に戻り、上述の処理を繰り返す。
【００３２】
このように、第２の実施形態においては、ステーション機能部３０７でリンク確立を行う場合に、同じ筐体内のアクセスポイント機能部３０２、３０３で使用しているＥＳＳＩＤが選択されると、エラー表示としているので、ステーション機能部３０７がアクセスポイント機能部３０２、３０３にリンク確立することを防止できる。
【００３３】
また、アクセスポイント機能部３０２、３０３及びステーション機能部３０７の制御をそれぞれ内蔵のＣＰＵで行うとしたが、全体の制御を内部ＣＰＵ３０５で統括して行うようなシステムも容易に実現可能である。
【００３４】
［第３の実施形態］
次に、図面を参照しながら本発明に係る第３の実施形態を詳細に説明する。
【００３５】
第３の実施形態は、ステーション機能部の設定を行う表示・設定部を筐体内部に設け、その表示・設定部からステーション機能部のリンク確立を行った後に、アクセスポイント機能部の起動を行うものである。
【００３６】
図５は、第３の実施形態における無線ＬＡＮシステムの構成を示す図である。図５に示す５０２〜５０７、５１０、５１１は、図１に示した１０２〜１０７、１１０、１１１にそれぞれ相当する。ここで、接続装置５０１は、図１に示したステーション１０１とその構成はほぼ同じであるが、ＰＣインタフェース１０８が無くなり、ＥＳＳＩＤの設定は表示・操作部５０８によって行われる。
【００３７】
図６は、第３の実施形態におけるＣＰＵ５０５の制御を示すフローチャートである。まずステップＳ６０１において、ＣＰＵ５０５はアクセスポイント機能部５０２、５０３を起動する前に、従来例と同様の方法（図１１）でステーション機能部５０７の無線リンクを確立する。ここで、まだ、アクセスポイント機能部５０２、５０３は立ち上がってないので、ステーション機能部５０７がアクセスポイント機能部５０２、５０３にリンクを確立することは無い。
【００３８】
次に、ステップＳ６０２において、ステーション機能部５０７で使用しているチャネルと異なるチャネルをアクセスポイント機能部５０２、５０３に設定し、ステップＳ６０３では、ステーション機能部５０７で使用しているＥＳＳＩＤと異なるＥＳＳＩＤをアクセスポイント機能部５０２、５０３に設定し、ステップＳ６０４において、アクセスポイント機能部５０２、５０３を起動する。
【００３９】
このように、第３の実施形態では、ステーション機能部５０７でリンク確立を行った後に、アクセスポイント機能部５０２、５０３の起動を行っているので、ステーション機能部５０７がアクセスポイント機能部５０２、５０３にリンク確立することを防止できる。
【００４０】
［第４の実施形態］
次に、図面を参照しながら本発明に係る第４の実施形態を詳細に説明する。
【００４１】
第４の実施形態は、第３の実施形態におけるアクセスポイント機能部の制御により、誤ったリンク確立を防止するものである。
【００４２】
第４の実施形態における無線ＬＡＮシステムの構成は、第３の実施形態で説明した図５に示す構成と同様であり、その説明は省略する。
【００４３】
図７は、第４の実施形態におけるアクセスポイント機能部の制御を示すフローチャートである。アクセスポイント機能部５０２又は５０３は、起動されると、ステップＳ７０１において、まず筐体内に存在するステーション機能部５０７のＭＡＣアドレスを読み込む。そして、ステップＳ７０２において、ステーションからのリンク確立要求を待ち、リンク確立要求を受信するとステップＳ７０３へ進み、そのメッセージに含まれるＭＡＣアドレスと、同じ筐体内のステーション機能部５０７のＭＡＣアドレスとを比較する。ここで、ＭＡＣアドレスが同じであればステップＳ７０５へ進み、リンク確立拒否を送信する。また、同じでなければステップＳ７０４へ進み、リンク確立応答を送信する。
【００４４】
このように、第４の実施形態では、アクセスポイント機能部５０２又は５０３でリンク確立要求を受信した時に、その要求に含まれるＭＡＣアドレスと、同じ筐体内のステーション機能部５０７のＭＡＣアドレスとを比較することで、そのステーション機能部５０７がアクセスポイント機能部５０２又は５０３にリンク確立することを防止できる。
【００４５】
［第５の実施形態］
次に、図面を参照しながら本発明に係る第５の実施形態を詳細に説明する。
【００４６】
第５の実施形態は、
第５の実施形態における無線ＬＡＮシステムの構成は、第３の実施形態で説明した図５に示す構成と同様であり、その説明は省略する。
【００４７】
図８は、第５の実施形態におけるステーション機能部の制御を示すフローチャートである。まずステップＳ８０１において、ステーション機能部５０７は受信可能なＥＳＳＩＤをサーチする。次に、ステップＳ８０２において、まだリンク確立要求を出していないＥＳＳＩＤが存在するかどうかをチェックし、なければ処理を終了する。また、存在すればステップＳ８０３へ進み、筐体内のアクセスポイント機能部５０２、５０３で使用しているＥＳＳＩＤと比較する。ここで、アクセスポイント機能部５０２、５０３のＥＳＳＩＤと一致しなければステップＳ８０４へ進み、そのＥＳＳＩＤを使用しているアクセスポイントにリンク確立要求を送信する。そして、ステップＳ８０５において、そのアクセスポイントからリンク確立応答を受信するとステップＳ８０５へ進み、無線リンクを確立し、またリンク確立拒否を受信するとステップＳ８０１に戻り、新たなＥＳＳＩＤのサーチを行う。
【００４８】
このように、第５の実施形態によれば、ステーション機能部５０７でリンク確立要求を送信する際に、筐体内のアクセスポイント機能部５０２、５０３で使用しているＥＳＳＩＤとの比較を行うことで、ステーション機能部５０７がアクセスポイント機能部５０２、５０３にリンク確立することを防止できる。
【００４９】
以上説明した実施形態によれば、ステーション機能部が同じ筐体内のアクセスポイント機能部で使用しているＥＳＳＩＤ以外のＥＳＳＩＤを使用しているアクセスポイントへ接続処理を行うことにより、誤った接続を行うことを回避でき、また、ステーション機能部が無線リンクを確立した後に、アクセスポイント機能部が、ステーション機能部が使用している無線チャネルと異なる無線チャネルを使用する処理、もしくは、ステーション機能部が使用しているＥＳＳＩＤと異なるＥＳＳＩＤを使用する処理を行うことで、誤った接続を行うことを回避でき、また、アクセスポイント機能部は、ステーションからの無線リンク確立要求に含まれているＭＡＣアドレスが同じ筐体内のステーション機能部のＭＡＣアドレスと同じ場合に、無線リンク確立を拒否することにより、誤った接続を行うことを回避することができる。
【００５０】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００５１】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００５２】
この場合、記録媒体から読出されたプログラムコード自体が前述した実施形態の機能を実現することになり、そのプログラムコードを記憶した記録媒体は本発明を構成することになる。
【００５３】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００５４】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００５５】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【００５６】
【発明の効果】
以上説明したように、本発明によれば、無線ネットワークのアクセスポイント機能部とステーション機能部とを同じ筐体内に備える場合に、それぞれの機能部に誤って接続されることを防止することができる。
【図面の簡単な説明】
【図１】第１の実施形態における無線ＬＡＮシステムの構成を示す図である。
【図２】第１の実施形態におけるステーション機能部１０７の動作を示すフローチャートである。
【図３】第２の実施形態における無線ＬＡＮシステムの構成を示す図である。
【図４】第２の実施形態におけるステーション機能部３０７の動作を示すフローチャートである。
【図５】第３の実施形態における無線ＬＡＮシステムの構成を示す図である。
【図６】第３の実施形態におけるＣＰＵ５０５の制御を示すフローチャートである。
【図７】第４の実施形態におけるアクセスポイント機能部の制御を示すフローチャートである。
【図８】第５の実施形態におけるステーション機能部の制御を示すフローチャートである。
【図９】一般的な無線ＬＡＮシステムの構成を示す図である。
【図１０】一般的なアクセスポイントの設定及び動作を示すフローチャートである。
【図１１】一般的なステーション９０２の動作を示すフローチャートである。
【符号の説明】
１０１  ステーション
１０２  アクセスポイント機能部
１０３  アクセスポイント機能部
１０４  ＲＯＭ
１０５  ＣＰＵ
１０６  ＲＡＭ
１０７  ステーション機能部
１０８  ＰＣインタフェース
１１０  アクセスポイント
１１１  基幹ＬＡＮ
【図１】
2004312181.tif 000003
【図２】
2004312181.tif 000004
【図３】
2004312181.tif 000005
【図４】
2004312181.tif 000006
【図５】
2004312181.tif 000007
【図６】
2004312181.tif 000008
【図７】
2004312181.tif 000009
【図８】
2004312181.tif 000010
【図９】
2004312181.tif 000011
【図１０】
2004312181.tif 000012
【図１１】
2004312181.tif 000013